(57)【要約】      （修正有）【課題】携帯機以外の異物が収納部に挿入された場合には、作動スライダが加圧されにくく仮に加圧されてもロックできないため、検出スイッチをオン状態に保つことはできない。【解決手段】イモビライザ認証システム用のスロット装置１は、携帯機１０が挿脱可能な収納部３ｂを有する可動ホルダ３に、作動部５ａを有する作動スライダ５が移動可能に支持されている。収納部３ｂに挿入された携帯機１０は作動スライダ５の被押圧部５ｃを押し込むため、作動部５ａが可動ホルダ３の外部へ徐々に突出していく。携帯機１０がさらに挿入されると可動ホルダ３が同方向へスライド移動し、携帯機１０が所定位置まで挿入された時点で作動部５ａが検出スイッチ６をオン動作させると共に、可動ホルダ３がハートカム体４にロックされるようになっている。【選択図】図３
2011116215.tif 000002
【特許請求の範囲】
【請求項１】
無線通信機能を有する携帯機が挿脱可能な収納部を有して該携帯機の挿入方向に沿ってスライド移動可能な可動ホルダと、この可動ホルダを初期位置へ復帰させるための戻しばねと、電磁誘導によるトランスポンダ信号を前記携帯機に生ぜしめる認証動作を行わせるための検出スイッチと、前記可動ホルダを所定のスライド位置に拘持可能なロック機構とを備え、前記収納部に挿入して前記可動ホルダに保持された前記携帯機を前記戻しばねの付勢力に抗して前記挿入方向へ押し込むことにより、前記可動ホルダが同方向へスライド移動すると共に、前記携帯機が所定位置まで押し込まれた時点で前記検出スイッチがオン動作して前記トランスポンダ信号に基づく前記認証動作が行えるようにしてあるイモビライザ認証システム用スロット装置であって、
前記収納部内の一部に配置された被押圧部と、この被押圧部から延出して前記可動ホルダの外部へ突出する作動部とを有する作動スライダを備え、この作動スライダが前記可動ホルダに対して前記作動部の前記突出量を増減させる向きに移動可能であると共に、前記被押圧部を前記携帯機が押し込むことによって前記作動部が前記検出スイッチをオン動作させるようにしたことを特徴とするイモビライザ認証システム用スロット装置。
【請求項２】
請求項１の記載において、前記作動スライダが前記可動ホルダに対して前記携帯機の挿入方向に沿って移動可能であることを特徴とするイモビライザ認証システム用スロット装置。
【請求項３】
請求項１または２の記載において、前記作動スライダが前記可動ホルダによって移動可能に支持されていることを特徴とするイモビライザ認証システム用スロット装置。
【請求項４】
請求項３の記載において、前記作動スライダがばね部材を介して前記可動ホルダに弾性的に支持されていることを特徴とするイモビライザ認証システム用スロット装置。
【発明の詳細な説明】
【技術分野】
【０００１】
本発明は、電池消耗時などに携帯機（電子キー）を装填してトランスポンダ信号に基づく該携帯機の認証を可能ならしめるイモビライザ認証システム用スロット装置に関するものである。
【背景技術】
【０００２】
最近、車両本体とユーザの所持する携帯機（電子キー）との間で無線通信を行い、該携帯機のＩＤコードが予め登録されたＩＤコードに合致した場合だけエンジンの始動を許可するというイモビライザ認証システムが、多くの自動車に採用されるようになっている。かかるイモビライザ認証システムにおいては、車両側の制御装置から送信されるリクエスト信号に応じて、電池を内蔵した携帯機からアンサー信号が送信され、このアンサー信号に含まれる複雑な暗号のＩＤコードを制御装置が照合することによって該携帯機の認証を行うことができるため、車両の盗難を防止するうえで顕著な効果を期待できる。
【０００３】
ただし、携帯機は内蔵電池が消耗するとアンサー信号を送信することができないため、通常、自動車のイモビライザ認証システムにおいては、車両側（例えばインストルメントパネル）に携帯機を装填可能なスロット装置を設置して電池消耗時にも携帯機のＩＤコードを照合できるようになっている。すなわち、この種のスロット装置に携帯機を挿入して所定位置まで押し込むと、スロット装置に設けられた検出スイッチがオン動作して、車両側の制御装置が電磁誘導により携帯機にトランスポンダ信号を生じさせるようになっている。これにより、制御装置はトランスポンダ信号に含まれるＩＤコードを照合することによって、スロット装置に装填されている携帯機の内蔵電池を消耗させることなく該携帯機の認証を行うことができる。
【０００４】
しかしながら、この種のスロット装置には携帯機以外の異物（例えば指や棒状物など）が挿入される可能性があるため、こうした異物の挿入によって検出スイッチがオン動作されてもイモビライザ認証システムに悪影響が及ばないように配慮しておく必要がある。そこで従来、携帯機以外の異物の挿入によって検出スイッチがオン動作されても、該検出スイッチを速やかにオフ状態に自動復帰させることのできるスロット装置が提案されている（例えば、特許文献１参照）。
【０００５】
かかる従来のスロット装置では、携帯機（電子キー）を挿入していくと、ホルダ部材がシャッタ部材を介して押し込まれて携帯機の挿入方向へスライド移動していき、携帯機を所定位置まで挿入すると、該携帯機はホルダ部材に保持（係止）される。そして、この携帯機をさらに挿入していくと、検出スイッチ（照合スイッチ）がホルダ部材に駆動されてオン動作すると共に、シャッタ部材およびホルダ部材に付設されたリンク機構の働きで該ホルダ部材が筐体の凹部に係止され、シャッタ部材はホルダ部材と携帯機との間に挟み込まれた状態となる。しかるに、携帯機以外の異物を挿入してシャッタ部材およびホルダ部材を押し込むことにより検出スイッチをオン動作させても、この異物を取り除けばシャッタ部材は第１の戻しばねに付勢されて初期位置へ復帰するため、シャッタ部材の復帰動作に伴ってリンク機構はホルダ部材を筐体の凹部から離脱させる。その結果、ホルダ部材が第２の戻しばねに付勢されて初期位置へ復帰し、検出スイッチもオフ状態に復帰するようになっている。
【先行技術文献】
【特許文献】
【０００６】
【特許文献１】特開２００４−１６２２６１号公報
【発明の概要】
【発明が解決しようとする課題】
【０００７】
しかしながら、特許文献１に開示されている従来のスロット装置は、シャッタ部材とホルダ部材とが複雑なリンク機構を介して連結されて部品点数も多いため、小型化や低コスト化が図りにくいという問題があった。また、かかる従来のスロット装置では、携帯機以外の異物の挿入によって検出スイッチが必ず毎回オン動作してしまうという問題もあった。つまり、スロット装置に装填される携帯機は内蔵電池が消耗していてアンサー信号を返信できないという想定なので、一般的なイモビライザ認証システムにおいては、検出スイッチがオン動作すると、車両側のバッテリーが無駄に消耗されるのを回避するためにリクエスト信号を送信しないように設計されている。その場合、携帯機以外の異物がスロット装置に挿入されたときに検出スイッチが簡単にオン動作してしまうと、その異物が挿入されている間はリクエスト信号が送信されず携帯機の認証が行えないことになってしまう。
【０００８】
本発明は、このような従来技術の実情に鑑みてなされたもので、その目的は、構造が簡素で小型化や低コスト化が図りやすく、かつ、携帯機以外の異物が挿入されても検出スイッチが簡単にオン動作しないイモビライザ認証システム用スロット装置を提供することにある。
【課題を解決するための手段】
【０００９】
上記の目的を達成するために、本発明は、無線通信機能を有する携帯機が挿脱可能な収納部を有して該携帯機の挿入方向に沿ってスライド移動可能な可動ホルダと、この可動ホルダを初期位置へ復帰させるための戻しばねと、電磁誘導によるトランスポンダ信号を前記携帯機に生ぜしめる認証動作を行わせるための検出スイッチと、前記可動ホルダを所定のスライド位置に拘持可能なロック機構とを備え、前記収納部に挿入して前記可動ホルダに保持された前記携帯機を前記戻しばねの付勢力に抗して前記挿入方向へ押し込むことにより、前記可動ホルダが同方向へスライド移動すると共に、前記携帯機が所定位置まで押し込まれた時点で前記検出スイッチがオン動作して前記トランスポンダ信号に基づく前記認証動作が行えるようにしてあるイモビライザ認証システム用スロット装置において、前記収納部内の一部に配置された被押圧部と、この被押圧部から延出して前記可動ホルダの外部へ突出する作動部とを有する作動スライダを備え、この作動スライダが前記可動ホルダに対して前記作動部の前記突出量を増減させる向きに移動可能であると共に、前記被押圧部を前記携帯機が押し込むことによって前記作動部が前記検出スイッチをオン動作させるように構成した。
【００１０】
このように構成されたスロット装置は、携帯機以外の異物が可動ホルダの収納部に挿入されたとき、該異物が作動スライダの被押圧部の存しない場所で可動ホルダを押し込んでも検出スイッチはオン動作しない。そのため、被押圧部を収納部内の適宜場所（例えば収納部内奥の一隅部）に配置しておくことにより、携帯機の挿入時には必ず被押圧部が加圧されるものの、携帯機以外の異物の挿入時には被押圧部が加圧されにくい構造を容易に実現することができ、これにより、携帯機以外の異物が挿入されても検出スイッチは簡単にはオン動作しなくなる。また、携帯機以外の異物が被押圧部を押し込んで検出スイッチをオン動作させたとしても、作動スライダはロックされないため、該異物が取り除かれれば検出スイッチは速やかにオフ状態に自動復帰する。しかも、作動スライダと可動ホルダとの間に特別なリンク機構は不要なので、このスロット装置は構造が簡素で小型化や低コスト化が図りやすい。
【００１１】
上記の構成において、作動スライダが可動ホルダに対して携帯機の挿入方向に沿って移動可能であると、作動スライダを可動ホルダの奥部に無理なく配置させることができるため、装置全体の小型化が一層容易となる。ただし、作動部を突出せるためのスペースが容易に確保できる場合には、作動スライダが可動ホルダに対して別の方向へ移動可能な構成であっても良い。
【００１２】
また、上記の構成において、作動スライダが可動ホルダ以外の部材に支持されていても良いが、作動スライダが可動ホルダによって移動可能に支持されていると、作動スライダの支持構造を簡素化できるため好ましい。この場合において、作動スライダがばね部材を介して可動ホルダに弾性的に支持されていると、このばね部材によって作動スライダを初期位置へ自動復帰させることができると共に、作動スライダのガタを防止できるため、構造を複雑化せずに作動スライダの動作を安定させることができる。
【発明の効果】
【００１３】
本発明のイモビライザ認証システム用スロット装置は、携帯機が保持可能であると共に所定のスライド位置でロック可能な可動ホルダに対して作動スライダが移動可能であり、この作動スライダの位置変化によって検出スイッチがオン動作するようにしてある。したがって、携帯機以外の異物が可動ホルダの収納部に挿入されたときに、該異物が作動スライダの被押圧部を押し込んで検出スイッチをオン動作させたとしても、作動スライダはロックされないため、該異物が取り除かれれば検出スイッチは速やかにオフ状態に自動復帰する。また、携帯機以外の異物が被押圧部の存しない場所で可動ホルダを押し込んでも検出スイッチはオン動作しないため、被押圧部を収納部内の適宜場所に配置しておくことにより、携帯機の挿入時には必ず被押圧部が加圧されるものの、異物の挿入時には被押圧部が加圧されにくい構造を容易に実現することができ、これにより、携帯機以外の異物が挿入されても検出スイッチは簡単にはオン動作しなくなる。しかも、作動スライダと可動ホルダとの間に特別なリンク機構は不要なので、このスロット装置は構造が簡素で小型化や低コスト化が図りやすい。
【図面の簡単な説明】
【００１４】
【図１】本発明の実施形態例に係るイモビライザ認証システム用スロット装置を筐体を除いて示す外観図である。
【図２】図１の可動ホルダから作動スライダを取り外した状態を示す分解斜視図である。
【図３】該スロット装置に対して携帯機の挿入が開始された状態を示す説明図である。
【図４】図３に対応する縦断面図である。
【図５】携帯機を該スロット装置の可動ホルダに保持される位置まで挿入した状態を示す説明図である。
【図６】図５に対応する縦断面図である。
【図７】携帯機を該スロット装置の検出スイッチがオン動作する位置まで挿入した状態を示す説明図である。
【図８】図７に対応する縦断面図である。
【発明を実施するための形態】
【００１５】
以下、本発明の実施形態例に係るイモビライザ認証システム用スロット装置について、図１〜図８を参照しつつ説明する。
【００１６】
これらの図に示すスロット装置１は、車両のインストルメントパネル等に設置されて、ユーザの所持する携帯機（電子キー）１０を装填することによって該携帯機１０の認証が行えるようにするためのものである。すなわち、自動車のイモビライザ認証システムにおいては、車両側の制御装置から送信されるリクエスト信号に応じて、電池を内蔵した携帯機１０からアンサー信号が送信され、このアンサー信号に含まれるＩＤコードを制御装置が照合することによって携帯機１０の認証を行うことができるが、電池消耗時にも携帯機１０のＩＤコードが照合できるようにするため、車両側に携帯機１０が装填可能なスロット装置１が設置されている。
【００１７】
スロット装置１は、固定部材である筐体２と、この筐体２に矢印Ａ方向に沿ってスライド移動可能に取り付けられた可動ホルダ３と、この可動ホルダ３を所定のスライド位置でロック（拘持）するハートカム体４と、可動ホルダ３の奥部の一隅部に矢印Ａ方向に沿ってスライド移動可能に組み込まれた作動スライダ５と、この作動スライダ５によってオン動作する検出スイッチ６と、筐体２の図示せぬばね受け部に弾接して可動ホルダ３を矢印Ａと反対方向へ弾性付勢する一対の第１コイルばね７とによって主に構成されており、作動スライダ５は第２コイルばね８を介して可動ホルダ３に弾性的に支持されている。
【００１８】
可動ホルダ３には、矩形状の挿入口３ａを介して携帯機１０が挿脱される収納部３ｂと、携帯機１０の両側面に設けられた凹部１０ａに嵌入可能な一対の係止爪３ｃと、作動スライダ５の作動部５ａや柱状部５ｂを挿通させるための孔を有する奥壁３ｄと、ハートカム体４のカム面４ａに係合する係合ピン３ｅとが設けられている。収納部３ｂの幅寸法は携帯機１０の幅寸法と略同等であり、図５に示すように、携帯機１０が奥壁３ｄ付近まで収納部３ｂ内へ挿入されると、一対の係止爪３ｃが一対の凹部１０ａに嵌入することにより、携帯機１０は可動ホルダ３に係止（保持）された状態となる。係止爪３ｃは弾性片３ｆの先端（自由端）部分に形成されており、この係止爪３ｃの背面側には凸部３ｇが形成されている。携帯機１０は一対の係止爪３ｃを押し広げるようにして収納部３ｂに挿入されていくため、携帯機１０が所定量挿入された時点で係止爪３ｃが凹部１０ａにスナップインされるようになっている。
【００１９】
また、こうして可動ホルダ３に係止された携帯機１０をさらに挿入方向（矢印Ａ方向）へ押し込むと、係合ピン３ｅが同方向へ直線的にスライド移動するが、この係合ピン３ｅはカム面４ａに沿って移動するため、ハートカム体４が回転軸４ｂを中心に図５の時計回りに回転し始める。そして、携帯機１０が可動ホルダ３を矢印Ａ方向へ所定量スライド移動させると、係合ピン３ｅがカム面４ａのロック部４ｃに入り込むため、図７に示すように可動ホルダ３がハートカム体４によってロックされる。なお、図１と図２に示すように、ハートカム体４は回転軸４ｂに支持された捩じりコイルばね９を有しており、この捩じりコイルばね９の付勢力に抗して係合ピン３ｅがカム面４ａに弾接するようになっている。なお、ハートカム体４のカム面４ａの具体的な構成は、プッシュロックスイッチやカード用コネクタなどにおいて従来より知られている所謂ハートカム機構によるプッシュロック機構であり、ここでは詳細な説明を省略する。また、前述した一対の第１コイルばね７は、可動ホルダ３が矢印Ａ方向へスライド移動するのに伴って弾性圧縮されていく。
【００２０】
作動スライダ５には、収納部３ｂ内に常時配置されて携帯機１０に当接可能な被押圧部５ｃと、この被押圧部５ｃから矢印Ａ方向へ延出する作動部５ａおよび柱状部５ｂとが設けられている。作動部５ａは奥壁３ｄを貫通して可動ホルダ３の外部へ突出しており、作動スライダ５は可動ホルダ３に対して作動部５ａの突出量を増減させる向き（矢印Ａ方向に沿う方向）に移動可能である。そして、携帯機１０が被押圧部５ｃを加圧して作動スライダ５を矢印Ａ方向へ所定位置までスライド移動させると、作動部５ａの先端部分がアクチュエータ６ａを駆動して検出スイッチ６がオン動作するようになっている。柱状部５ｂも奥壁３ｄを貫通しているが、柱状部５ｂに外挿されている第２コイルばね８は常に収納部３ｂの内部に存し、柱状部５ｂの先端部分に設けられた抜け止め部５ｄは常に収納部３ｂの外部に存する。なお、この抜け止め部５ｄはスライドコアなどの金型を用いて形成されているが、ワッシャーなどの別部材を用いて抜け止め部を形成することも可能である。
【００２１】
図４に示すように、収納部３ｂ内で第２コイルばね８が奥壁３ｄに弾接しているため、携帯機１０が被押圧部５ｃを加圧していない非挿入時などにおいても、作動スライダ５は第２コイルばね８の付勢力によって可動ホルダ３にガタつきなく保持されている。この第２コイルばね８は、作動スライダ５が加圧されて可動ホルダ３に対し矢印Ａ方向へスライド移動するのに伴って弾性圧縮されていく。なお、作動スライダ５の被押圧部５ｃは収納部３ｂの内奥の一隅部に配置されているが、図５に示すように、収納部３ｂへ深く挿入した携帯機１０は必ず被押圧部５ｃと当接するようになっている。また、可動ホルダ３に作動部５ａを挟み込むように延びる一対のガイド部３ｈが突設してあり、作動部５ａがこれらガイド部３ｈに案内されながらスライド移動するようになっているため、この作動スライダ５は可動ホルダ３に対して傾くことなく円滑にスライド移動させることができる。
【００２２】
検出スイッチ６は、アクチュエータ６ａが作動スライダ５の作動部５ａに駆動されてステム６ｂを押し込むことによりオン動作するように構成されたプッシュスイッチである。そして、収納部３ｂに挿入された携帯機１０が作動スライダ５を所定位置まで押し込んで検出スイッチ６からオン信号が出力されると、イモビライザ認証システムの図示せぬ制御装置がリクエスト信号を送信せずに携帯機１０の認証動作を行うようになっている。すなわち、制御装置は電磁誘導によって携帯機１０にトランスポンダ信号を生じさせ、このトランスポンダ信号に含まれるＩＤコードを照合することによって、携帯機１０の内蔵電池を消耗させることなく携帯機１０の認証が可能となる。
【００２３】
次に、このように構成されたスロット装置１の動作について詳しく説明する。電池消耗時などに携帯機１０を作動スライダ５の挿入口３ａへ挿入すると、図３と図４に示すように、携帯機１０の先端部が一対の係止爪３ｃを押し広げながら収納部３ｂに挿入されていくが、携帯機１０が被押圧部５ｃに当接するまでは作動スライダ５に位置変化は起こらない。
【００２４】
携帯機１０が収納部３ｂの内部にさらに挿入されると、携帯機１０の先端一側部（図３の上端左隅部）が被押圧部５ｃに当接するため、作動スライダ５は携帯機１０に押し込まれて矢印Ａ方向（携帯機１０の挿入方向）へスライド移動していく。かかる作動スライダ５のスライド移動に伴って第２コイルばね８は弾性圧縮されていき、作動部５ａは検出スイッチ６のアクチュエータ６ａに近接していく。なお、第１コイルばね７のばね圧は第２コイルばね８のばね圧に比べて十分高く、この動作において第１コイルばね７により作動スライダ５は移動しない。そして、携帯機１０の挿入量が図５と図６の状態になると、係止爪３ｃが凹部１０ａに嵌入することによって携帯機１０は可動ホルダ３に係止（保持）された状態となり、この後、携帯機１０をさらに押し込むと、携帯機１０が可動ホルダ３の奥壁３ｄに接してこれを押し込むことにより、可動ホルダ３がスライド移動を開始する。その際、例えば被押圧部５ｃの厚み寸法を矢印Ａ方向に沿って大きくする等して、携帯機１０が被押圧部５ｃを介して奥壁３ｄを押し込むようにしても良い。
【００２５】
すなわち、図５と図６の状態から携帯機１０を矢印Ａ方向へさらに押し込むと、可動ホルダ３および作動スライダ５が携帯機１０と一体的に同方向へスライド移動するため、一対の第１コイルばね７（図１参照）が弾性圧縮されていくと共に、係合ピン３ｅがハートカム体４を図５の時計回りに回転させていき、作動部５ａはアクチュエータ６ａを徐々に駆動していく。そして、携帯機１０が可動ホルダ３および作動スライダ５を図７と図８の状態まで押し込むと、作動部５ａがアクチュエータ６ａを介してステム６ｂを押し込んで検出スイッチ６をオン動作させると共に、検出スイッチ６がオン動作した直後に可動ホルダ３がハートカム体４のロック部４ｃに入り込んでロック（拘持）されるようになっている。また、弾性片３ｆの凸部３ｇが筐体２の肉厚部２ａと対向する位置まで可動ホルダ３がスライド移動するため、係止爪３ｃは肉厚部２ａに規制されて凹部１０ａから離脱不能となる。これにより、携帯機１０はスロット装置１に脱落の虞なく装填された状態となり、検出スイッチ６はオン状態に保たれる。前述したように、検出スイッチ６からオン信号が出力されると、イモビライザ認証システムの制御装置は電磁誘導によって携帯機１０にトランスポンダ信号を生じさせ、このトランスポンダ信号に含まれるＩＤコードを照合して携帯機１０の認証を行うため、認証が成立すると車両エンジンの始動が許可される。また、検出スイッチがオン動作すると、制御装置は車両のバッテリーの消耗を回避するためにリクエスト信号を送信しないように設計されている。
【００２６】
なお、こうして装填した携帯機１０をスロット装置１から離脱させる際には、まず、ハートカム体４にロックされている携帯機１０をさらにもう一段深く押し込んで係合ピン３ｅをロック部４ｃから離脱させる。これにより、ハートカム体４に拘持されていた可動ホルダ３がロック解除されるため、第１コイルばね７の反力で可動ホルダ３および作動スライダ５が挿入口３ａ側（反矢印Ａ方向）へスライド移動して図５と図６の状態に復帰する。この過程で検出スイッチ６がオフ状態に復帰すると共に、ハートカム体４がカム面４ａに沿う係合ピン３ｅの移動に伴って図７の反時計回りに回転する。そして、図５と図６の状態でユーザが携帯機１０を手前へ強く引っ張れば、弾性片３ｆの撓みによって係止爪３ｃが携帯機１０の凹部１０ａから外れるため、スロット装置１から携帯機１０を抜き取ることができる。また、携帯機１０が抜き取られると作動スライダ５は第２コイルばね８の反力で挿入口３ａ側へスライド移動するため、図３と図４の状態に復帰する。
【００２７】
次に、携帯機１０以外の異物が挿入口３ａから収納部３ｂ内へ挿入された場合の動作について説明する。作動スライダ５の被押圧部５ｃは収納部３ｂの内奥の一隅部に配置されているため、指や棒状物などのように細長い異物が収納部３ｂへ挿入されたとしても、その異物によって被押圧部５ｃが加圧される可能性は低い。むしろ、かかる異物は奥壁３ｄを加圧する可能性が高く、その場合、可動ホルダ３が矢印Ａ方向へスライド移動してハートカム体４にロックされてしまうことはあるが、検出スイッチ６がオン動作してしまうことはなく、よってイモビライザ認証システムの制御装置がリクエスト信号の送信を停止することはない。なお、こうして可動ホルダ３がハートカム体４にロックされてしまっても、その後、携帯機１０を収納部３ｂへ深く挿入すればロック解除できるので不都合は生じない。
【００２８】
また、携帯機１０以外の異物の挿入によって被押圧部５ｃが加圧された結果、作動スライダ５が矢印Ａ方向へスライド移動して検出スイッチ６がオン動作してしまったとしても、作動スライダ５はロックされないので、かかる異物が取り除かれれば作動スライダ５は第２コイルばね８に付勢されて初期位置へ復帰し、よって検出スイッチ６は速やかにオフ状態に復帰する。つまり、このスロット装置１は、収納部３ｂへの挿入物が可動ホルダ３と作動スライダ５を共に押し込んでスライド移動させた場合だけ、検出スイッチ６をオン状態に保っておくことが可能となるように構成されている。
【００２９】
以上説明したように、本実施形態例に係るイモビライザ認証システム用のスロット装置１においては、携帯機１０が収納部３ｂに挿入されたときには必ず作動スライダ５の被押圧部５ｃが加圧されるものの、携帯機１０以外の異物が収納部３ｂに挿入されたときには被押圧部５ｃの存しない場所で可動ホルダ３が押し込まれる可能性が高く、その場合、検出スイッチ６はオン動作しない。つまり、このスロット装置１は、携帯機１０以外の異物が挿入されても検出スイッチ６が簡単にはオン動作しない構造になっている。また、携帯機１０以外の異物が被押圧部５ｃを押し込んで検出スイッチ６をオン動作させたとしても、作動スライダ５はロックされないため、該異物が取り除かれれば検出スイッチ６は速やかにオフ状態に自動復帰する。つまり、このスロット装置１は、異物の挿入に起因するリクエスト信号の不所望な停止が起こりにくい構造にして通常の認証動作が支障なく行えるようにしてあると共に、電池消耗時などに携帯機１０を挿入すれば確実に認証が行えるようにしてあるため、使い勝手が良く実用性に富むスロット装置となっている。
【００３０】
また、本実施形態例に係るスロット装置１は、作動スライダ５と可動ホルダ３との間に特別なリンク機構が不要なため、構造が簡素で小型化や低コスト化が図りやすくなっている。なお、上記した実施形態例では、作動スライダ５の被押圧部５ｃを収納部３ｂの内奥の一隅部に配置しているが、指や棒状物などの異物が収納部３ｂに挿入されても加圧されにくい適宜場所に被押圧部５ｃを配置しておけば、上記の実施形態例と同様の効果が得られる。
【００３１】
また、本実施形態例に係るスロット装置１は、作動スライダ５が可動ホルダ３によって移動可能に支持されているため、作動スライダ５の支持構造が極めて簡素である。しかも、作動スライダ５は第２コイルばね８を介して可動ホルダ３に弾性的に支持されているため、この第２コイルばね８によって作動スライダ５を初期位置へ自動復帰させることができると共に、作動スライダ５のガタを防止できるようになっている。それゆえ、このスロット装置１は、簡素な構造でありながら作動スライダ５の動作が安定したものとなっている。なお、本実施形態例に係るスロット装置１では、第２コイルばね８を収納部３ｂの内側に配置しているが、収納部３ｂの外側の抜け止め部５ｄと可動ホルダ３の奥壁３ｄとの間に第２コイルばね８を配置しても良い。ただし、その場合には、第２コイルばね８のばね圧を検出スイッチ６の作動力に比べて十分に小さく設定し、携帯機１０以外の異物の挿入によって可動ホルダ３が押し込まれたとき、第２コイルばね８が弾性圧縮して可動ホルダ３のみを移動させて、作動スライダ５の作動部５ａが検出スイッチ６を押さないようにする必要がある。さらには第２コイルばね８を削除しても良い。また、作動スライダ５を可動ホルダ３以外の部材に支持させることも可能であり、例えば筐体２に形成したガイド部等によって作動スライダ５を支持するという構造や、プッシュスイッチで構成した検出スイッチ６の操作軸（アクチュエータ）を収納部３ｂの内部まで延出させ、この延出部分に作動スライダを形成するという構造にしても良い。
【００３２】
また、本実施形態例に係るスロット装置１は、作動スライダ５が可動ホルダ３に対して携帯機１０の挿入方向（矢印Ａ方向）に沿って移動可能なため、作動スライダ５を可動ホルダ３の奥部に無理なく配置させることができ、この点からも装置全体の小型化が容易である。ただし、作動部５ａを突出せるためのスペースが容易に確保できる場合には、作動スライダ５が可動ホルダ３に対して別の方向へ移動可能な構成であっても良い。例えば、可動ホルダ３の一側壁に設けた孔を貫通して携帯機１０の挿入方向と略直交する方向へ移動可能な作動スライダに該携帯機１０と摺動可能な傾斜面を設けておけば、携帯機１０の挿入時に該作動スライダの作動部を可動ホルダ３の側方へ突出させて検出スイッチをオン動作させることができる。
【００３３】
なお、上記の実施形態例では、作動スライダ５の作動部５ａがアクチュエータ６ａを介してステム６ｂを押し込むことによって検出スイッチ６がオン動作するように構成されているが、作動部５ａが検出スイッチ６のステム６ｂを直接押し込むように構成することもできる。また、検出スイッチとして、光センサや磁気センサ等の非接触式のスイッチを使用することも可能である。
【００３４】
また、上記の実施形態例では、可動ホルダ３を所定のスライド位置に拘持可能なロック機構としてハートカム構造のもの（ハートカム体４）を採用しているが、他のカム構造のものやソレノイド等をロック機構として使用することも可能である。
【符号の説明】
【００３５】
１  スロット装置
２  筐体
３  可動ホルダ
３ｂ  収納部
３ｃ  係止爪
３ｅ  係合ピン
４  ハートカム体（ロック機構）
４ａ  カム面
４ｃ  ロック部
５  作動スライダ
５ａ  作動部
５ｃ  被押圧部
６  検出スイッチ
６ａ  アクチュエータ
７  第１コイルばね（戻しばね）
８  第２コイルばね（ばね部材）
１０  携帯機（電子キー）
１０ａ  凹部
【図１】
2011116215.tif 000003
【図２】
2011116215.tif 000004
【図３】
2011116215.tif 000005
【図４】
2011116215.tif 000006
【図５】
2011116215.tif 000007
【図６】
2011116215.tif 000008
【図７】
2011116215.tif 000009
【図８】
2011116215.tif 000010